(57)【要約】【課題】所定の位置に対する非接触式携帯可能電子装置のセットを容易にし、操作性の向上が図れる非接触式携帯可能電子装置処理装置を提供する。【解決手段】非接触式ＩＣカードを用いた運転免許証等のＩＤカードを発行するＩＤカード発行システムにおける、発行されたＩＤカードの表面印刷内容とＩＣチップ内の記録内容を確認するための確認端末装置において、ＩＤカードを置くための載置面に複数の通風孔を形成し、筐体内をファンにより減圧することにより、載置面上の非接触式ＩＤカードを吸着保持する。【選択図】      図６
2006331090.tif 000002
【特許請求の範囲】
【請求項１】
外部装置との間で無線による通信を行なうことによりデータの授受等を行なう非接触式携帯可能電子装置を置くための載置面を有する筐体と、
前記載置面に形成された複数の通風孔と、
前記筐体内に設置されたファンと、
このファンの回転により前記筐体内を減圧することにより前記載置面に置かれた前記非接触式携帯可能電子装置を当該載置面に吸着保持するよう前記ファンを駆動制御するファン制御手段と、
前記筐体内に設置され、前記載置面に吸着保持された前記非接触式携帯可能電子装置との間で電磁結合による無線通信によりデータの授受等を行なうためのアンテナと、
を具備したことを特徴とする非接触式携帯可能電子装置処理装置。
【請求項２】
外部装置との間で無線による通信を行なうことによりデータの授受等を行なう非接触式携帯可能電子装置を置くための載置面を有する筐体と、
前記載置面に形成された複数の通風孔と、
前記筐体内に設置されたファンと、
前記載置面に置かれた前記非接触式携帯可能電子装置を当該載置面に吸着保持する際、前記筐体内を減圧するように前記ファンを減圧方向に回転させ、前記載置面に吸着保持された前記非接触式携帯可能電子装置の吸着保持を解除する際、前記筐体内を与圧するように前記ファンを与圧方向に回転させるファン制御手段と、
前記筐体内に設置され、前記載置面に吸着保持された前記非接触式携帯可能電子装置との間で電磁結合による無線通信によりデータの授受等を行なうためのアンテナと、
を具備したことを特徴とする非接触式携帯可能電子装置処理装置。
【請求項３】
前記載置面は、ほぼ矩形状の平面であって、その上端側が高く、下端側が低くなるように傾斜して形成されていることを特徴とする請求項１または請求項２記載の非接触式携帯可能電子装置処理装置。
【請求項４】
前記アンテナは、環状に形成されていて、前記筐体内において、前記載置面に対しほぼ平行に設置されていることを特徴とする請求項１または請求項２記載の非接触式携帯可能電子装置処理装置。
【請求項５】
前記アンテナを介して前記非接触式携帯可能電子装置から読取ったデータを表示する表示手段をさらに具備したことを特徴とする請求項１または請求項２記載の非接触式携帯可能電子装置処理装置。
【請求項６】
前記ファンは、前記筐体内において前記載置面の複数の通風孔と対向する部位に設置され、かつ、当該ファンと対向する前記筐体の側面に複数の通風孔が形成されていることを特徴とする請求項１または請求項２記載の非接触式携帯可能電子装置処理装置。
【請求項７】
前記非接触式携帯可能電子装置は非接触式ＩＣカードであることを特徴とする請求項１または請求項２記載の非接触式携帯可能電子装置処理装置。
【発明の詳細な説明】
【技術分野】
【０００１】
本発明は、たとえば、非接触式ＩＣカードなどの非接触式携帯可能電子装置を用いた運転免許証等のＩＤカードを発行するＩＤカード発行システムにおいて、発行されたＩＤカードの表面印刷内容とＩＣチップ内の記録内容を確認するための確認端末装置として好適な非接触式携帯可能電子装置処理装置に関する。
【背景技術】
【０００２】
たとえば、非接触式ＩＣカードなどの非接触式携帯可能電子装置を用いた運転免許証等のＩＤカードを発行するＩＤカード発行システムにおいて、発行されたＩＤカードの表面印刷内容とＩＣチップ内の記録内容を確認するための確認端末装置として用いられる非接触式携帯可能電子装置処理装置にあっては、ＩＤカード（非接触式ＩＣカード）の表面印刷内容を目視確認しながら、ＩＤカード内のＩＣチップからデータを読取り表示出力させるために、ＩＤカードをセットする載置面を斜めに傾斜させ、かつ、セットしたＩＤカードが載置面から落下しないようにガイド部材等を設けることで、ＩＤカードを載置面にセットする方法がとられている（たとえば、特許文献１、特許文献２参照）。
【特許文献１】特開平１１−３４０６号公報
【特許文献２】特開平１１−１５４２０４号公報
【発明の開示】
【発明が解決しようとする課題】
【０００３】
しかし、上記公知の従来技術では、カードの着脱の際、爪で引っ掛けてカードを取らなければならなかったり、固定された方向からしかカードの着脱ができなかったりし、操作者に操作負荷がかかり、操作性に極めて劣るという問題がある。特に、一時に大量枚数のカードを処理するような場合に影響が非常に大きい。
【０００４】
そこで、本発明は、所定の位置に対する非接触式携帯可能電子装置のセットを容易にし、操作性の向上が図れる非接触式携帯可能電子装置処理装置を提供することを目的とする。
【課題を解決するための手段】
【０００５】
本発明の非接触式携帯可能電子装置処理装置は、外部装置との間で無線による通信を行なうことによりデータの授受等を行なう非接触式携帯可能電子装置を置くための載置面を有する筐体と、前記載置面に形成された複数の通風孔と、前記筐体内に設置されたファンと、このファンの回転により前記筐体内を減圧することにより前記載置面に置かれた前記非接触式携帯可能電子装置を当該載置面に吸着保持するよう前記ファンを駆動制御するファン制御手段と、前記筐体内に設置され、前記載置面に吸着保持された前記非接触式携帯可能電子装置との間で電磁結合による無線通信によりデータの授受等を行なうためのアンテナとを具備している。
【０００６】
また、本発明の非接触式携帯可能電子装置処理装置は、外部装置との間で無線による通信を行なうことによりデータの授受等を行なう非接触式携帯可能電子装置を置くための載置面を有する筐体と、前記載置面に形成された複数の通風孔と、前記筐体内に設置されたファンと、前記載置面に置かれた前記非接触式携帯可能電子装置を当該載置面に吸着保持する際、前記筐体内を減圧するように前記ファンを減圧方向に回転させ、前記載置面に吸着保持された前記非接触式携帯可能電子装置の吸着保持を解除する際、前記筐体内を与圧するように前記ファンを与圧方向に回転させるファン制御手段と、前記筐体内に設置され、前記載置面に吸着保持された前記非接触式携帯可能電子装置との間で電磁結合による無線通信によりデータの授受等を行なうためのアンテナとを具備している。
【発明の効果】
【０００７】
本発明によれば、非接触式ＩＣカードなどの非接触式携帯可能電子装置を載置面上に投げ置くような方法で簡単にセットでき、非接触式携帯可能電子装置を取出す際も載置面上から滑り出すような方法で簡単に行なえるので、所定の位置に対する非接触式携帯可能電子装置のセットを容易にし、操作性の向上が図れる非接触式携帯可能電子装置処理装置を提供できる。
【発明を実施するための最良の形態】
【０００８】
以下、本発明の実施の形態について図面を参照して説明する。  
図１は、本発明に係る非接触式携帯可能電子装置処理装置が適用される、たとえばＩＤカードを発行するＩＤカード発行システムの構成を概略的に示すものである。図１において、このＩＤカード発行システムは、全体的な制御を司る汎用コンピュータで構成されるホストコンピュータ１０１、このホストコンピュータ１０１に接続され、少なくともカード発行申請者（以後、単に申請者と称す）１０２のＩＤカードに記載する各種情報を含む個人情報を、申請者１０２が持つ固有の識別情報としての個人番号（ＩＤ番号）と対応させて記憶しているデータベース１０３、申請者１０２の少なくとも顔を含む画像（以下、顔画像と称す）を撮影する画像取得手段（生体情報取得手段）としての撮影装置１０４、撮影装置１０４からの指令により、申請者１０２の顔画像と個人番号、氏名、年齢、住所などの個人情報を、未発行状態のＩＤカード（非接触式ＩＣカード）に印刷することによりＩＤカード１０５を作成する印刷手段としての印刷装置１０６、それと同時に顔画像、個人番号、氏名、年齢、住所などの個人情報をファイリングするファイリング装置１０７、申請者１０２が個人情報を記入して持ち込んだカード発行申請書（以後、単に申請書と称す）１０８の情報をデータベース１０３に登録するための登録端末装置１０９、発行したＩＤカード１０５の内容を確認するための確認端末装置（非接触式携帯可能電子装置処理装置）１１０、これらホストコンピュータ１０１、撮影装置１０４、印刷装置１０６、ファイリング装置１０７、登録端末装置１０９、および、確認端末装置１１０を相互接続するネットワーク１１１から構成されている。  
印刷装置１０６は、ＩＤカード１０５のＩＣチップに対し顔画像や個人情報などを書込む書込手段としてのＩＣ書込装置１１２を備えている。
【０００９】
ＩＤカード１０５は、非接触式ＩＣカード（いわゆる無線カード）が用いられていて、たとえば、図２に示すように、ＩＣ化されたメモリを含むＩＣチップ２０１、および、ＩＣ書込装置１１２からの電力供給と通信を行なうためのアンテナ２０２が埋設されているとともに、表面には申請者１０２の顔画像２０３や個人番号、氏名、年齢、住所などの個人情報２０４などがそれぞれ印刷される。ＩＣチップ２０１には、表面の印刷内容が不正に印刷されたものでないことを証明するべく、当該表面印刷と同様の情報とその他の情報が記録されている。
【００１０】
図３は、ＩＣチップ２０１内に保存（記録）するデータの構造例を示すものである。たとえば、レコード番号「０」にはカード所有者の氏名（ＡＢＣＤ）、レコード番号「１」にはカード所有者の住所（ＥＦＧＨ）、レコード番号「２」にはカード所有者の個人番号(１２３４５６７８)、レコード番号「３」にはその他補足情報、レコード番号「４」以降には記載変更追記が保存されている。
【００１１】
レコード番号「０〜３」は、当該ＩＣカードの発行時に保存される、ＩＣカード発行時点の所有者の個人情報であり、ＩＣカードの表面に印刷されている内容である。  
レコード番号「４」以降は、ＩＣカードの発行時からＩＣカードの有効期限内に、所有者の個人情報が変更になった場合に、記載変更履歴として記載される領域である。
【００１２】
図４は、本ＩＤカード発行システムにおける申請者１０２によるカード発行申請から発行完了までの流れを概略的に示している。  
まず、申請者１０２は、ＩＣチップ付きＩＤカードの発行申請のために、発行に必要となる個人情報を申請書１０８に記入し、発行元に提出する。これを受けた発行元では、提出された申請書１０８の個人情報を登録端末装置１０９を用いて入力することでデータベース１０３へ登録する。
【００１３】
次に、申請者１０２は、撮影装置１０４により顔画像の撮影を行なう。撮影装置１０４は、撮影した顔画像およびデータベース１０３から取得した個人情報により発行データを生成し、印刷装置１０６へ送る。印刷装置１０６は、受取った発行データに基づきＩＤカード１０５の表面印刷およびＩＣチップ２０１の発行処理（データ書込処理）を行なう。
【００１４】
次に、申請者１０２は、発行元の立会いのもと、確認端末装置１１０により、発行されたＩＤカード１０５の表面印刷の内容を目視により確認するとともに、ＩＣチップ２０１に書込まれた内容を読出して表示することで確認を行ない、発行ファイルのセキュリティ属性情報の変更を行ない、発行を完了する。
【００１５】
図５は、発行されたＩＤカード１０５の表面印刷の内容を目視により確認するとともに、ＩＣチップ２０１に書込まれた内容を読取って確認する確認端末装置１１０の構成を模式的に示すものである。  
確認端末装置１１０は、コンソールとなるパーソナルコンピュータ（以下、単にパソコンと略称する）３０１、および、非接触式ＩＣカードリーダライタ３０２によって構成されている。パソコン３０１は、ＩＤカード１０５のＩＣチップ２０１内のデータや操作ガイダンスなどを表示出力する表示手段としての表示部３０３や、操作者が操作を行なう外部入力装置としてのキーボート３０４、マウス３０５が具備されている。
【００１６】
ＩＤカード１０５には、前述したように、表面印刷として所有者の顔画像２０３と所有者の氏名、住所、個人番号などの個人情報２０４が印刷されており、さらに、ＩＤカード１０５にはＩＣチップ２０１およびアンテナ２０２が埋設されていて、ＩＣチップ２０１には表面印刷が不正に行なわれたものでないことを証明するべく、表面印刷と同様の情報とその他の情報が書込まれている。
【００１７】
このような構成において、ＩＤカード１０５を非接触式ＩＣカードリーダライタ３０２にセットすることにより、パソコン３０１の所定の操作により非接触式ＩＣカードリーダライタ３０２からＩＤカード１０５のＩＣチップ２０１に対する情報の読出しや書込み処理を行なうことができるようになっている。
【００１８】
図６は、非接触式ＩＣカードリーダライタ３０２の構成を模式的に示すものである。  
図６において、ほぼ密閉状態に形成された箱型の筐体４０１は、その上面がＩＤカード１０５を置くための載置面４０２となっている。載置面４０２は、ＩＤカード１０５を置いたときにカード表面の印刷内容が操作者から見え易いように、ほぼ矩形状の平面であって、その手前側（下端側）が低く、後側（上端側）が高くなるように傾斜して形成されている。また、載置面４０２には、多数の通風孔４０３が形成されていて、この通風孔４０３から筐体４０１の内外への空気の入出ができるようになっている。
【００１９】
筐体４０１内の載置面４０２と相対向する部位には、載置面４０２上のＩＤカード１０５に対し電源供給と通信を行うためのアンテナ４０４が載置面４０２とほぼ平行に設置されている。アンテナ４０４は、たとえば、アンテナ基板上に環状のアンテナコイルを形成して構成されていて、支持部材４０５に支持されている。
【００２０】
ＩＤカード１０５と通信を行なうには、載置面４０２上にＩＤカード１０５を置くことにより、アンテナ４０４とＩＤカード１０５側のアンテナ２０２との電磁的結合が得られ、無線通信が可能となる。この場合、ＩＤカード１０５を置く場所は、アンテナ４０４の特性とＩＤカード１０５側のアンテナ２０２の特性で決まる通信範囲であればよく、決して位置精度よく置く必要はない。
【００２１】
筐体４０１内の底部には、本非接触式ＩＣカードリーダライタ３０２全体の制御を行なう制御手段としての制御回路基板４０６が設けられていて、この制御回路基板４０６にはアンテナ４０４が接続されている。制御回路基板４０６は、アンテナ４０４等との電磁的影響をなくすため、電磁遮蔽箱４０７で囲繞されている。
【００２２】
また、筐体４０１内の後面近傍で、載置面４０２の通風孔４０３と相対向する部位には、筐体４０１内を減圧したり与圧したりするためのファン４０８が設置されている。筐体４０１内のファン４０８と相対向する後面には、多数の通風孔４０９が形成されていて、この通風孔４０９から筐体４０１の内外への空気の入出ができるようになっている。ファン４０８は制御回路基板４０６に接続されている。
【００２３】
ファン４０８は、その近傍の通風孔４０９から風が吹き出す方向に回転させれば筐体４０１内の気圧が減圧し、傾斜している載置面４０２上のＩＤカード１０５は吸着保持され、その場に留まる。ファン４０８の回転を停止したり、ファン４０８を減圧方向とは逆方向（与圧方向）に回転させれば、載置面４０２上のＩＤカード１０５は吸着保持が解除され、その場に留まらずに載置面４０２上を滑り落ち、通信可能範囲から外れる。  
なお、ＩＤカード１０５を載置面４０２上から取出す場合、上述したファン４０８の制御による場合や、そうじゃなければ、ＩＤカード１０５をそのまま前後左右に滑らせて取出せばよい。
【００２４】
図７は、非接触式ＩＣカードリーダライタ３０２の構成の変形例を模式的に示すものである。この変形例は、アンテナ４０４を環状に形成して、中心部を通風孔とし、風の流れをよくしたものである。  
すなわち、アンテナ４０４は、たとえば、図８に示すように、アンテナ基板４０４ａ上に環状のアンテナコイル４０４ｂを形成するとともに、アンテナコイル４０４ｂの中心部に当該アンテナコイル４０４ｂの形状に沿った通風孔４０４ｃを形成したものである。また、支持部材４０５にも、アンテナ４０４の通風孔４０４ｃと相対向する部位に通風孔４０５ａが形成されている。このような構成により、図７に破線矢印で示すような良好な風の流れが生じる。
【００２５】
図９は、非接触式ＩＣカードリーダライタ３０２の制御部（制御回路基板４０６に組込まれた制御部）の構成を概略的に示すものである。この制御部は、上位機器となるパソコン３０１と通信を行なうための通信部５０１、非接触式ＩＣカードリーダライタ３０２全体の制御を行なう主制御部５０２、アンテナ４０４を介してＩＤカード１０５のＩＣチップ２０１に対しデータの読取りや書込みを行なうためのＩＣ読取／書込部５０３、および、筐体４０１内を減圧したり与圧したりするためのファン４０８を駆動するためのファン駆動部５０４によって構成されている。
【００２６】
図１０は、確認端末装置１１０における処理の流れを詳細に示すものであり、以下それについて説明する。  
制御プログラムが起動すると、まず、非接触式ＩＣカードリーダライタ３０２の筐体４０１内を減圧させるために、ファン４０８を減圧方向に回転させる（ステップＳ１）。次に、本装置の状態を示す状態情報を「０」に初期化する（ステップＳ２）。
【００２７】
次に、状態情報を判定し（ステップＳ３）、当該状態情報が「０」の場合、後で詳細を説明するカード待ち状態として、操作者により非接触式ＩＣカードリーダライタ３０２にＩＤカード１０５がセットされるのを待機する（ステップＳ４）。ステップＳ３の判定の結果、状態情報が「１」の場合、後で詳細を説明するカード内データ表示処理を行なう（ステップＳ５）。
【００２８】
次に、操作者によりプログラム終了操作が行なわれたかどうかを判定し（ステップＳ６）、プログラム終了操作が行なわれていなければステップＳ３に戻り、上記同様な処理を繰り返す。  
ステップＳ６の判定の結果、プログラム終了操作が行なわれていれば、後で詳細を説明するカード排出処理を行ない（ステップＳ７）、操作者によりＩＤカード１０５が取出されたことを確認すると制御プログラムを終了し、ファン４０８の動作を停止させる（ステップＳ８）。
【００２９】
図１１は、図１０のステップＳ４におけるカード待ち処理の流れを詳細に示すものであり、以下それについて説明する。  
まず、パソコン３０１の表示部３０３に、たとえば、「カードをリーダライタにおいてください」というカード待ち受け状態であることを示すガイダンスを表示する（ステップＳ１１）。
【００３０】
次に、非接触式ＩＣカードリーダライタ３０２の載置面４０２上にＩＤカード１０５がセットされたかを確認し（ステップＳ１２）、操作者によりＩＤカード１０５が載置面４０２上にセットされていれば、ＩＤカード１０５内のＩＣチップ２０１の内容を、アンテナ４０４を介してＩＣ読取／書込部５０３で読取り、パソコン３０１へ転送する（ステップＳ１３）。
【００３１】
次に、ＩＣチップ２０１からのデータ読込みが正常に完了したか否かをチェックし（ステップＳ１４）、正常に完了していれば状態情報を「１」に変化させ（ステップＳ１５）、リターンする。ステップＳ１４のチェックの結果、データ読込みが正常に完了していない場合、後で詳細を説明するカード排出処理を行ない（ステップＳ７）、ステップＳ１５に進む。
【００３２】
図１２は、図１０のステップＳ５におけるカード内データ表示処理およびその他の処理の流れを詳細に示すものであり、以下それについて説明する。  
まず、パソコン３０１の表示部３０３に、ステップＳ１３で読込んだＩＣチップ２０１のデータを表示する（ステップＳ２１）。この場合、表示部３０３には、アイコン化された確認終了ボタンやその他の操作ボタンが表示されていて、操作者は必要に応じこれらのアイコンを操作する。
【００３３】
次に、操作者による目視確認として、申請書１０８の記載内容と、非接触式ＩＣカードリーダライタ３０２の載置面４０２上に置かれたＩＤカード１０５の表面印刷の内容と、表示部３０３に表示されたＩＣチップ２０１のデータに相違がないことを確認する（ステップＳ２２）。
【００３４】
次に、操作者により確認終了ボタンが押されたか否かを判定し（ステップＳ２３）、確認終了ボタンが押されていれば、後で詳細を説明するカード排出処理を行ない（ステップＳ７）、状態情報を「０」に設定し（ステップＳ２４）、リターンする。ステップＳ２３の判定の結果、確認終了ボタンが押されていなければ、リターンする。
【００３５】
図１３は、カード排出処理の第１の例の流れを詳細に示すものであり、以下それについて説明する。  
まず、非接触式ＩＣカードリーダライタ３０２の載置面４０２上にＩＤカード１０５が残留しているか否かを判定し（ステップＳ３１）、ＩＤカード１０５が残留していれば、パソコン３０１の表示部３０３に、たとえば、「カードをリーダライタから取り除いてください。」という、ＩＤカード１０５が残留しているので操作者に取り除くべくガイダンス表示を行なう（ステップＳ３２）。ステップＳ３１，Ｓ３２は、載置面４０２上からＩＤカード１０５が取り除かれるまで繰り返される。
【００３６】
図１４は、カード排出処理の第２の例の流れを詳細に示すものであり、以下それについて説明する。  
まず、ファン４０８をこれまでと逆方向（与圧方向）に回転させることにより（ステップＳ４１）、非接触式ＩＣカードリーダライタ３０２の筐体４０１内を与圧し、載置面４０２の通風孔４０３から外に風を噴出させる。これにより、載置面４０２上のＩＤカード１０５は自動的に載置面４０２上から滑り落ちる。
【００３７】
非接触式ＩＣカードリーダライタ３０２は、その載置面４０２上にＩＤカード１０５を置いた際、操作者の目線に合うべく載置面４０２を斜めに傾斜させている。したがって、たとえば、載置面４０２の下部に図示しないカード収納箱等を置いておけば、読取り確認したＩＤカード１０５をそこに確保することができる。
【００３８】
次に、載置面４０２上にＩＤカード１０５が残留しているか否かを判定し（ステップＳ４２）、ＩＤカード１０５が残留していれば、パソコン３０１の表示部３０３に、たとえば、「カードをリーダライタから取り除いてください。」という、ＩＤカード１０５が残留しているので操作者に取り除くべくガイダンス表示を行なう（ステップＳ４３）。その後、ステップＳ４２に戻り、ＩＤカード１０５が取り除かれるまでステップＳ４２，Ｓ４３が繰り返される。
【００３９】
ステップＳ４２の判定の結果、載置面４０２上にＩＤカード１０５が残留していなければ、ファン４０８を元の減圧方向に回転させ（ステップＳ４４）、載置面４０２の通風孔４０３から風を吸い込み、次のＩＤカード１０５のセットに備える。
【００４０】
以上説明したように、上記実施の形態によれば、以下のような作用効果が期待できる。
すなわち、この種の確認端末装置の場合、ＩＤカード内のＩＣチップのデータを読取り表示しながら、カード表面印刷の内容を確認し易くするために、たとえば、ＩＤカードをセットする非接触式ＩＣカードリーダライタの載置面を斜めに傾斜させて、操作者の目線に合わせることが行なわれる。  
また、ＩＤカードは軽量で、少しのきっかけで非接触式ＩＣカードリーダライタの載置面上から落ちることもある。  
ＩＤカード内のＩＣチップへのアクセス中に、ＩＤカードが非接触式ＩＣカードリーダライタの載置面上から落ちることはすなわち、アクセス中にＩＣチップの電源が切れることを意味し、最悪の場合ＩＣチップが故障する可能性もある。
【００４１】
操作者は確認端末装置の操作等が必要で、操作中に非接触式ＩＣカードリーダライタの載置面上のＩＤカードを維持させるために、片手を使い続けることはできない。  
また一方、非接触式ＩＤカードの場合、接触式ＩＤカードとは違い、非接触式ＩＣカードリーダライタの載置面上に対し位置精度よくセットする必要はない。  
ところが、上述の状況を考慮すると、載置面上にＩＤカードが落下しないようにするガイド部材等を設けた場合、そのことがＩＤカードの出し入れに対し操作性を著しく悪くする。  
特に、自動車の運転免許証等、ＩＤカードを一時に大量に発行する場合で、たとえば、数秒ごとに発行するＩＤカードを都度確認する場合、非接触式ＩＣカードリーダライタに対するＩＤカードの出し入れに対して操作者の負荷を軽減させる必要性が高い。
【００４２】
そこで、上述した実施の形態のように、非接触式ＩＣカードリーダライタの載置面に多数の通風孔をあけ、筐体内の気圧を減圧させることで載置面上にＩＤカードを吸着保持することにより、操作者はＩＤカードを載置面上に投げ置くような方法で簡単にセットでき、ＩＤカードを取出すときも載置面上から滑り出すような方法で簡単に行なえる。したがって、所定の位置に対するＩＤカードのセットを容易にし、操作性の向上が図れるものである。
【００４３】
なお、前記実施の形態では、非接触式ＩＣカードを用いた運転免許証等のＩＤカードを発行するＩＤカード発行システムにおいて、発行されたＩＤカードの表面印刷内容とＩＣチップ内の記録内容を確認するための確認端末装置に適用した場合について説明したが、本発明はこれに限定されるものではなく、たとえば、他の用途に用いられる非接触式ＩＣカードの表面印刷内容とＩＣチップ内の記録内容を確認するための非接触式携帯可能電子装置処理装置にも同様に適用可能である。
【００４４】
また、適用される非接触式携帯可能電子装置も、カード型にかかわらず、ブロック型やタグ型であっても適用可能である。
【図面の簡単な説明】
【００４５】
【図１】本発明に係る非接触式携帯可能電子装置処理装置が適用される、たとえばＩＤカードを発行するＩＤカード発行システムの構成を概略的に示すブロック図。
【図２】ＩＤカードの構成を概略的に示す模式図。
【図３】ＩＤカードのＩＣチップ内に保存するデータの構造例を説明する図。
【図４】申請者によるカード発行申請から発行完了までの流れを概略的に示す流れ図。
【図５】発行されたＩＤカードのＩＣチップに書込まれた内容を読取って確認する確認端末装置の構成を概略的に示す模式図。
【図６】非接触式ＩＣカードリーダライタの構成を模式的に示す縦断側面図。
【図７】非接触式ＩＣカードリーダライタの構成の変形例を模式的に示す縦断側面図。
【図８】アンテナの構成を模式的に示す上面図。
【図９】非接触式ＩＣカードリーダライタの制御部の構成を概略的に示すブロック図。
【図１０】確認端末装置における処理の流れを詳細に示すフローチャート。
【図１１】図１０におけるカード待ち処理の流れを詳細に示すフローチャート。
【図１２】図１０におけるカード内データ表示処理およびその他の処理の流れを詳細に示すフローチャート。
【図１３】カード排出処理の第１の例の流れを詳細に示すフローチャート。
【図１４】カード排出処理の第２の例の流れを詳細に示すフローチャート。
【符号の説明】
【００４６】
１０１…ホストコンピュータ、１０２…カード発行申請者、１０３…データベース、１０４…撮影装置（画像取得手段、生体情報取得手段）、１０５…ＩＤカード（非接触式ＩＣカード、非接触式携帯可能電子装置）、１０６…印刷装置（印刷手段）、１０７…ファイリング装置、１０８…カード発行申請書、１０９…登録端末装置、１１０…確認端末装置（非接触式携帯可能電子装置処理装置）、１１１…ネットワーク、１１２…ＩＣ書込装置（書込手段）、２０１…ＩＣチップ（記憶媒体）、２０２…アンテナ、２０３…顔画像、２０４…個人情報、３０１…パソコン、３０２…非接触式ＩＣカードリーダライタ、３０３…表示部（表示手段）、４０１…筐体、４０２…載置面、４０３，４０９…通風孔、４０４…アンテナ、４０６…制御回路基板、４０８…ファン、５０３…ＩＣ読取／書込部、５０４…ファン駆動部。
【図１】
2006331090.tif 000003
【図２】
2006331090.tif 000004
【図３】
2006331090.tif 000005
【図４】
2006331090.tif 000006
【図５】
2006331090.tif 000007
【図６】
2006331090.tif 000008
【図７】
2006331090.tif 000009
【図８】
2006331090.tif 000010
【図９】
2006331090.tif 000011
【図１０】
2006331090.tif 000012
【図１１】
2006331090.tif 000013
【図１２】
2006331090.tif 000014
【図１３】
2006331090.tif 000015
【図１４】
2006331090.tif 000016